(57)【要約】【課題】消費電力の低減を容易に図る。【解決手段】ＲＮＣ４００−１，４００−２が、ＵＥ１００の発着信を規制する場合、ＵＥ１００へ、無線信号の受信処理を停止する停止時間を通知し、ＵＥ１００が、無線信号の受信処理を行い、ＲＮＣ４００−１，４００−２から停止時間が通知された場合、その停止時間、受信処理を停止する。【選択図】図１
2013115715.tif 000002
【特許請求の範囲】
【請求項１】
無線通信を行う通信装置と、該通信装置を制御する制御装置とを具備する通信システムにおいて、
前記制御装置は、
前記通信装置の発着信を規制する場合、前記通信装置へ、無線信号の受信処理を停止する停止時間を通知する通知部を有し、
前記通信装置は、
前記無線信号の受信処理を行う受信部と、
前記制御装置から前記停止時間が通知された場合、前記停止時間、前記受信部における受信処理を停止させる受信制御部とを有する通信システム。
【請求項２】
請求項１に記載の通信システムにおいて、
前記通知部は、前記停止時間を報知情報に含めて前記通信装置へ送信することで、該停止時間を通知することを特徴とする通信システム。
【請求項３】
請求項１または請求項２に記載の通信システムにおいて、
前記制御装置は、
前記通信装置が、発着信規制がかかっている領域から、発着信規制がかかってない領域へ移動する平均移動時間を算出する時間算出部を有し、
前記通知部は、前記時間算出部が算出した時間を前記停止時間として通知することを特徴とする通信システム。
【請求項４】
無線通信を行う通信装置を制御する制御装置であって、
前記通信装置の発着信を規制する場合、前記通信装置へ、無線信号の受信処理を停止する停止時間を通知する通知部を有する制御装置。
【請求項５】
無線通信を行う通信装置であって、
無線信号の受信処理を行う受信部と、
当該通信装置を制御する制御装置から前記受信処理を停止する停止時間が通知された場合、前記停止時間、前記受信部における受信処理を停止させる受信制御部とを有する通信装置。
【請求項６】
無線通信を行う通信装置と、該通信装置を制御する制御装置とを具備する通信システムにおける通信制御方法であって、
前記制御装置が、前記通信装置の発着信を規制する場合、前記通信装置へ、無線信号の受信処理を停止する停止時間を通知する処理と、
前記通信装置が、前記無線信号の受信処理を行う処理と、
前記通信装置が、前記制御装置から前記停止時間が通知された場合、前記停止時間、前記受信処理を停止する処理とを行う通信制御方法。
【請求項７】
無線通信を行う通信装置を制御する制御装置に、
前記通信装置の発着信を規制する場合、前記通信装置へ、無線信号の受信処理を停止する停止時間を通知する手順を実行させるためのプログラム。
【請求項８】
無線通信を行う通信装置に、
無線信号の受信処理を行う手順と、
当該通信装置を制御する制御装置から前記受信処理を停止する停止時間が通知された場合、前記停止時間、前記受信処理を停止する手順とを実行させるためのプログラム。
【発明の詳細な説明】
【技術分野】
【０００１】
本発明は、通信を行う通信システム、制御装置、通信装置、通信制御方法およびプログラムに関する。
【背景技術】
【０００２】
現在の携帯端末等の通信装置において、上位のネットワーク障害やリソース不足などによる発着信の規制が発生したとしても、通信装置は、間欠受信処理を常時繰り返し行っている。
【０００３】
例えば、災害などが発生し、通信装置の充電を行うことが困難である状態では、消費電力の無駄は極力抑え、通信装置の使用可能時間を確保すべきである。
【０００４】
しかしながら、上述したように、発着信規制により、発着信ができない場合であっても、間欠受信処理を行っているため、無駄な電力消費が行われてしまう。
【０００５】
そこで、報知情報に含まれる間欠待受情報内容に基づいて、受信処理間隔を調整する技術が開示されている（例えば、特許文献１参照。）。
【先行技術文献】
【特許文献】
【０００６】
【特許文献１】特開平１１−１１２４０５号公報
【発明の概要】
【発明が解決しようとする課題】
【０００７】
しかしながら、特許文献１に記載された技術においては、調整した受信間隔は周期的なものとなってしまうため、ある特定の期間だけ、受信処理を停止させるということはできず、受信処理の実行／停止を自由に設定することが困難になってしまうという問題点がある。
【０００８】
本発明の目的は、上述した課題を解決する通信システム、制御装置、通信装置、通信制御方法およびプログラムを提供することである。
【課題を解決するための手段】
【０００９】
本発明の通信システムは、
無線通信を行う通信装置と、該通信装置を制御する制御装置とを具備する通信システムであって、
前記制御装置は、
前記通信装置の発着信を規制する場合、前記通信装置へ、無線信号の受信処理を停止する停止時間を通知する通知部を有し、
前記通信装置は、
前記無線信号の受信処理を行う受信部と、
前記制御装置から前記停止時間が通知された場合、前記停止時間、前記受信部における受信処理を停止させる受信制御部とを有する。
【００１０】
また、本発明の制御装置は、
無線通信を行う通信装置を制御する制御装置であって、
前記通信装置の発着信を規制する場合、前記通信装置へ、無線信号の受信処理を停止する停止時間を通知する通知部を有する。
【００１１】
また、本発明の通信装置は、
無線通信を行う通信装置であって、
無線信号の受信処理を行う受信部と、
当該通信装置を制御する制御装置から前記受信処理を停止する停止時間が通知された場合、前記停止時間、前記受信部における受信処理を停止させる受信制御部とを有する。
【００１２】
また、本発明の通信制御方法は、
無線通信を行う通信装置と、該通信装置を制御する制御装置とを具備する通信システムにおける通信制御方法であって、
前記制御装置が、前記通信装置の発着信を規制する場合、前記通信装置へ、無線信号の受信処理を停止する停止時間を通知する処理と、
前記通信装置が、前記無線信号の受信処理を行う処理と、
前記通信装置が、前記制御装置から前記停止時間が通知された場合、前記停止時間、前記受信処理を停止する処理とを行う。
【００１３】
また、本発明のプログラムは、
無線通信を行う通信装置を制御する制御装置に実行させるためのプログラムであって、
前記通信装置の発着信を規制する場合、前記通信装置へ、無線信号の受信処理を停止する停止時間を通知する手順を実行させる。
【００１４】
無線通信を行う通信装置に実行させるためのプログラムであって、
無線信号の受信処理を行う手順と、
当該通信装置を制御する制御装置から前記受信処理を停止する停止時間が通知された場合、前記停止時間、前記受信処理を停止する手順とを実行させる。
【発明の効果】
【００１５】
以上説明したように、本発明においては、消費電力の低減を容易に図ることができる。
【図面の簡単な説明】
【００１６】
【図１】本発明の通信システムの実施の一形態を示す図である。
【図２】図１に示したＵＥの内部構成の一例を示す図である。
【図３】図１に示したＲＮＣの内部構成の一例を示す図である。
【図４】図１に示した通信システムにおける通信制御方法のうち、ＲＮＣにおける処理を説明するためのフローチャートである。
【図５】発着信の規制がかかっていないセルへ報知する報知情報の一部の一例を示す図である。
【図６】発着信の規制をかけるセルへ報知する報知情報の一部の一例を示す図である。
【図７】図１に示した通信システムにおける通信制御方法のうち、ＵＥにおける処理を説明するためのフローチャートである。
【図８】発着信規制を行わない場合の受信部の電源のＯＮ／ＯＦＦの時間的変化の一例を示す図である。
【図９】発着信規制を行う場合の受信部の電源のＯＮ／ＯＦＦの時間的変化の一例を示す図である。
【図１０】発着信の規制がかかっていないセルへ報知する報知情報の一部の他の例を示す図である。
【図１１】発着信の規制をかけるセルへ報知する報知情報の一部の他の例を示す図である。
【図１２】発着信規制を行う場合の受信部の電源のＯＮ／ＯＦＦの時間的変化の他の例を示す図である。
【発明を実施するための形態】
【００１７】
以下に、本発明の実施の形態について図面を参照して説明する。
【００１８】
図１は、本発明の通信システムの実施の一形態を示す図である。
【００１９】
本形態は図１に示すように、ＵＥ１００と、ＢＴＳ３００−１，３００−２と、ＲＮＣ４００−１，４００−２と、コアネットワーク５００とから構成されている。
【００２０】
ＵＥ（Ｕｓｅｒ  Ｅｑｕｉｐｍｅｎｔ）１００は、利用者が所持する、無線通信可能な通信装置である。また、ＵＥ１００は、移動可能である。
【００２１】
ＢＴＳ（Ｂａｓｅ  Ｔｒａｎｓｃｅｉｖｅｒ  Ｓｔａｔｉｏｎ）３００−１，３００−２は、通信エリア（領域）であるセル２００−１，２００−２をそれぞれカバーする無線基地局である。
【００２２】
ＲＮＣ（Ｒａｄｉｏ  Ｎｅｔｗｏｒｋ  Ｃｏｎｔｒｏｌｌｅｒ）４００−１，４００−２は、ＢＴＳ３００−１，３００−２とそれぞれ接続され、ＢＴＳ３００−１，３００−２をそれぞれ制御する制御装置である。また、ＲＮＣ４００−１，４００−２は、ＢＴＳ３００−１，３００−２それぞれを介して、セル２００−１，２００−２に存在するＵＥを制御する。また、ＲＮＣ４００−１，４００−２は、上位ネットワークであるコアネットワーク５００と接続されている。
【００２３】
コアネットワーク５００は、回線交換、パケット交換のリソース管理等、無線機能以外のネットワーク機能を提供する。
【００２４】
なお、図１には、ＵＥが１つ、ＢＴＳ、ＲＮＣがそれぞれ２つずつで示しているが、この数は、これらに限定しない。
【００２５】
図２は、図１に示したＵＥ１００の内部構成の一例を示す図である。
【００２６】
図１に示したＵＥ１００には図２に示すように、受信部１１０と、受信制御部１２０とが設けられている。なお、図２には、図１に示したＵＥ１００が具備する構成要素のうち、本発明に関わる構成要素のみを示した。
【００２７】
受信部１１０は、ＢＴＳ３００−１，３００−２から送信されてきた無線信号の受信処理を行う。受信部１１０は、ＵＥ１００がセル２００−１内に存在する場合は、ＢＴＳ３００−１から送信されてきた無線信号の受信処理を行う。また、受信部１１０は、ＵＥ１００がセル２００−２内に存在する場合は、ＢＴＳ３００−２から送信されてきた無線信号の受信処理を行う。なお、ＵＥ１００が、セル２００−１とセル２００−２との境界付近に存在する場合は、ＢＴＳ３００−１から送信されてきた無線信号とＢＴＳ３００−２から送信されてきた信号との双方の受信処理を行ったり、受信品質の良い方の受信処理を行ったりする。これについては、一般的な無線通信端末の受信部における受信処理と同じである。
【００２８】
受信制御部１２０は、ＲＮＣ４００−１，４００−２からＢＴＳ３００−１，３００−２を介して停止時間が通知された場合、通知された停止時間、受信部１１０における受信処理を停止させる。
【００２９】
図３は、図１に示したＲＮＣ４００−１の内部構成の一例を示す図である。なお、図１に示したＲＮＣ４００−２の内部構成についても、図３に示すＲＮＣ４００−１の内部構成と同じである。
【００３０】
図１に示したＲＮＣ４００−１には図３に示すように、通知部４１０と、時間算出部４２０とが設けられている。なお、図３には、図１に示したＲＮＣ４００−１が具備する構成要素のうち、本発明に関わる構成要素のみを示した。
【００３１】
通知部４１０は、ＵＥ１００の発着信を規制する場合、ＢＴＳ３００−１を介してＵＥ１００へ、無線信号の受信処理を停止する停止時間を通知する。このとき、通知部４１０は、停止時間を報知情報に含めて、当該報知情報をＵＥ１００へ送信することで、停止時間を通知する。また、このとき、通知部４１０は、時間算出部４２０から通知された時間を停止時間として通知する。なお、この報知情報は、例えば、ＢＣＣＨ（Ｂｒｏａｄｃａｓｔｉｎｇ  Ｃｏｎｔｒｏｌ  Ｃｈａｎｎｅｌ）の通信チャネルを用いて送信される。
【００３２】
時間算出部４２０は、ＵＥ１００が、発着信規制がかかっているセルから、発着信規制がかかってないセルへ移動する平均移動時間を算出する。また、時間算出部４２０は、算出した時間を通知部４１０へ通知する。
【００３３】
以下に、図１に示した通信システムにおける通信制御方法について説明する。
【００３４】
まずは、図１に示した通信システムにおける通信制御方法のうち、ＲＮＣ４００−１における処理について説明する。
【００３５】
図４は、図１に示した通信システムにおける通信制御方法のうち、ＲＮＣ４００−１における処理を説明するためのフローチャートである。なお、ＲＮＣ４００−２における処理も、同様である。
【００３６】
まず、ＲＮＣ４００−１内部またはコアネットワーク５００からの通知にて、障害またはリソース不足が発生しているかどうかを通知部４１０が判別する（ステップＳ１）。この判別方法は、特に規定しない。例えば、ＲＮＣ４００−１内部で障害が発生したことを検知した場合や、コアネットワーク５００からＣＰＵの処理リソースが所定の閾値を超えたことの通知があった場合に、障害またはリソース不足が発生していると判別するものであっても良い。
【００３７】
障害またはリソース不足が発生している場合、ＲＮＣ４００−１は、その配下のＢＴＳ３００−１がカバーするセル２００−１に存在するＵＥ１００へ発着信の規制をかける必要があると判別する。そして、時間算出部４２０は、ＵＥ１００が現在存在するセル（例えば、図１に示したセル２００−１）から、近隣で発着信の規制がかかっていないセル（例えば、図１に示したセル２００−２）への平均移動時間を算出する（ステップＳ２）。これは、複数の通信端末（ＵＥ）について、移動時間を測定し、測定した結果から平均値を算出するものであっても良い。
【００３８】
その後、通知部４１０は、時間算出部４２０が算出した時間を停止時間として、当該停止時間を発着信の規制をかけるための報知情報に含めて、ＢＴＳ３００−１を介してセル２００−１内へ通知する（ステップＳ３）。
【００３９】
図５は、発着信の規制がかかっていないセルへ報知する報知情報の一部の一例を示す図である。
【００４０】
図５に示した「ｃｅｌｌＢａｒｒｅｄ」は、セル２００−１,２００−２への発着信の規制情報を通知する情報要素である。また、「ｃｅｌｌＢａｒｒｅｄＴｉｍｅｒ」は、本発明にて追加する情報であり、ネットワーク側がＵＥへ間欠受信処理を停止する停止時間を指定するために使用するものである。
【００４１】
図５に示すように、「ｃｅｌｌＢａｒｒｅｄ」が「ｎｏｔ」に設定されている。これは、セルに対して発着信の規制を行わないことを示している。また、「ｃｅｌｌＢａｒｒｅｄＴｉｍｅｒ」が「ｎｏｔ」に設定されている。この部分は、発着信の規制がないため、情報要素としては無効として通知される（無視される）。
【００４２】
図６は、発着信の規制をかけるセルへ報知する報知情報の一部の一例を示す図である。
【００４３】
図６に示すように、「ｃｅｌｌＢａｒｒｅｄ」が「Ｂａｒｒｅｄ」に設定されている。これは、セルに対して発着信の規制を行うことを示している。また、「ｃｅｌｌＢａｒｒｅｄＴｉｍｅｒ」が「３ｍ」に設定されている。これは、上述した停止時間が３分であることを示している。この３分は、時間算出部４２０が算出した停止時間であり、例えば、図１に示したＵＥ１００がセル２００−１内から移動して、セル２００−２へ入るまでの時間である。
【００４４】
つまり、発着信の規制を行わないセル（例えば、図１に示したセル２００−２）へ報知する報知情報には、発着信の規制を行わない旨が示され、発着信の規制を行うセル（例えば、図１に示したセル２００−１）へ報知する報知情報には、発着信の規制を行う旨に加えて、間欠受信処理を停止する停止時間が示される。
【００４５】
次に、図１に示した通信システムにおける通信制御方法のうち、ＵＥ１００における処理について説明する。
【００４６】
図７は、図１に示した通信システムにおける通信制御方法のうち、ＵＥ１００における処理を説明するためのフローチャートである。
【００４７】
まず、受信部１１０が報知情報を受信すると（ステップＳ１１）、受信した報知情報を受信制御部１２０が解析し、発着信規制を行う旨を示すものであるかどうかを判別する（ステップＳ１２）。
【００４８】
報知情報が発着信規制を行う旨を示すものではない場合（「ｃｅｌｌＢａｒｒｅｄ：ｎｏｔ」）、受信部１１０は、間欠受信処理を継続し、報知情報および着信通知を定期的に受信する。
【００４９】
図８は、発着信規制を行わない場合の受信部１１０の電源のＯＮ／ＯＦＦの時間的変化の一例を示す図である。
【００５０】
図８に示すように、受信部１１０の電源は、あらかじめ設定された周期（図８に示した例では、２秒）で、間欠受信処理のためにＯＮとされる。この主体は、受信制御部１２０である。なお、この周期は、特に規定しない。
【００５１】
一方、報知情報が発着信規制を行う旨を示すものである場合は（「ｃｅｌｌＢａｒｒｅｄ：Ｂａｒｒｅｄ」）、受信制御部１２０は、報知情報に含まれる停止時間（ｃｅｌｌＢａｒｒｅｄＴｉｍｅｒ）を確認し、確認した停止時間（例えば、図６に示したｃｅｌｌＢａｒｒｅｄＴｉｍｅｒである場合、３分）、受信部１１０に間欠受信処理を停止させる（ステップＳ１３）。間欠受信処理を停止するため、当該処理で消費する電力を低減することができる。なお、停止時間の間、ネットワークからの着信情報は取得できないこととなるが、ネットワーク側が規制状態にあり、発着信が実施できない状態にあるため、問題はない。
【００５２】
図９は、発着信規制を行う場合の受信部１１０の電源のＯＮ／ＯＦＦの時間的変化の一例を示す図である。
【００５３】
図９に示すように、受信部１１０の電源は、あらかじめ設定された周期でＯＮとされるところ、３分間の停止時間が通知されると、３分間、電源がＯＮとされることが停止され、間欠受信処理が停止される。この主体は、受信制御部１２０である。
【００５４】
停止時間が経過すると、受信制御部１２０は、受信部１１０に、間欠受信処理を再開させる（ステップＳ１４）。つまり、上述した周期で、受信部１１０の電源をＯＮとする。
【００５５】
以下に、図１に示した形態を用いて、状態遷移について説明する。
【００５６】
ＵＥ１００が、セル２００−１内で発着信の規制がかけられ、間欠受信処理停止状態になる。そのため、ＵＥ１００は、３分間、間欠受信処理を停止する。
【００５７】
３分後、ＵＥ１００がセル２００−２内へ移動していると、次に受信する報知情報は、発着信を規制しない報知情報であるため、通常の間欠受信処理を復帰させると共に、発着信が可能となる。
【００５８】
一方、ＵＥ１００が、間欠受信処理を停止してから３分間を経過してもセル２００−１内に存在している場合、次に受信する報知情報も、発着信を規制する報知情報であるため、再度、間欠受信処理停止状態になる。
【００５９】
上述したように、発着信の規制がかかっているセル２００−１内で、ＵＥ１００が着信を監視する処理（間欠受信処理）を行っても、電流を無駄に消費するだけである。それを回避するために、ネットワーク側の規制状態に基づいて、発生する消費電流の無駄を削減し、ＵＥ１００の使用可能時間を延長している。
【００６０】
以上の説明では、報知情報に、間欠受信処理停止時間（ｃｅｌｌＢａｒｒｅｄＴｉｍｅｒ）を新規に追加して、間欠受信処理を停止することで、消費電流の低減を行ったが、発着信規制状態をネットワーク側で検出した際に、間欠受信周期（ＤＲＸ−ＣｙｃｌｅＬｅｎｇｔｈ）を長周期へ変更することでも、同様の効果を得ることができる。
【００６１】
図１０は、発着信の規制がかかっていないセルへ報知する報知情報の一部の他の例を示す図である。
【００６２】
図１０に示した「ｃｅｌｌＢａｒｒｅｄ」は、図５に示したものと同じものである。また、「ＤＲＸ−ＣｙｃｌｅＬｅｎｇｔｈ」は、ネットワーク側がＵＥへ通知する間欠受信処理の周期である。
【００６３】
図１０に示すように、「ｃｅｌｌＢａｒｒｅｄ」が「ｎｏｔ」に設定されている。これは、セルに対して発着信の規制を行わないことを示している。また、「ＤＲＸ−ＣｙｃｌｅＬｅｎｇｔｈ」が「２Ｓ」に設定されている。これは、間欠受信処理の周期が２秒であることを示している。
【００６４】
図１１は、発着信の規制をかけるセルへ報知する報知情報の一部の他の例を示す図である。
【００６５】
図１１に示すように、「ｃｅｌｌＢａｒｒｅｄ」が「Ｂａｒｒｅｄ」に設定されている。これは、セルに対して発着信の規制を行うことを示している。また、「ＤＲＸ−ＣｙｃｌｅＬｅｎｇｔｈ」が「４Ｓ」に設定されている。これは、間欠受信処理の周期が４秒であることを示している。
【００６６】
図１２は、発着信規制を行う場合の受信部１１０の電源のＯＮ／ＯＦＦの時間的変化の他の例を示す図である。
【００６７】
図１２に示すように、受信部１１０の電源は、発着信規制を行わない場合に設定された２秒周期でＯＮとされるところ、４秒の間欠受信処理の周期が通知されると、間欠受信処理の周期が４秒へ変更される。この主体は、受信制御部１２０である。
【００６８】
なお、上述したＲＮＣ４００−１が行う処理は、ＢＴＳ３００−１，３００−２や、コアネットワーク５００が行っても良い。
【００６９】
このように、例えば、災害などが発生し、ＵＥ１００の充電が著しく制限される場合など、電力の無駄を極力抑えたい場合に、ＵＥ１００の使用可能時間を延長することができる。
【００７０】
上述したＵＥ１００、ＲＮＣ４００−１それぞれに設けられた各構成要素が行う処理は、目的に応じてそれぞれ作製された論理回路で行うようにしても良い。また、処理内容を手順として記述したコンピュータプログラム（以下、プログラムと称する）をＵＥ１００、ＲＮＣ４００−１それぞれにて読取可能な記録媒体に記録し、この記録媒体に記録されたプログラムをＵＥ１００、ＲＮＣ４００−１それぞれに読み込ませ、実行するものであっても良い。ＵＥ１００、ＲＮＣ４００−１それぞれにて読取可能な記録媒体とは、フロッピー（登録商標）ディスク、光磁気ディスク、ＤＶＤ、ＣＤなどの移設可能な記録媒体の他、ＵＥ１００、ＲＮＣ４００−１それぞれに内蔵されたＲＯＭ、ＲＡＭ等のメモリやＨＤＤ等を指す。この記録媒体に記録されたプログラムは、ＵＥ１００、ＲＮＣ４００−１それぞれに設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００７１】
１００    ＵＥ
１１０    受信部
１２０    受信制御部
２００−１，２００−２    セル
３００−１，３００−２    ＢＴＳ
４００−１，４００−２    ＲＮＣ
４１０    通知部
４２０    時間算出部
５００    コアネットワーク
【図１】
2013115715.tif 000003
【図２】
2013115715.tif 000004
【図３】
2013115715.tif 000005
【図４】
2013115715.tif 000006
【図５】
2013115715.tif 000007
【図６】
2013115715.tif 000008
【図７】
2013115715.tif 000009
【図８】
2013115715.tif 000010
【図９】
2013115715.tif 000011
【図１０】
2013115715.tif 000012
【図１１】
2013115715.tif 000013
【図１２】
2013115715.tif 000014